(57)【要約】【課題】安定して多くのマイナスイオンを放出できるようにするとともに、併せて感電を起こすおそれのないヘアドライヤーを提供する。【解決手段】空気流発生の駆動源となる直流モータＭに電力を供給する整流器Ｄ１と、前記空気流にマイナスイオンを放出するマイナスイオン発生器ＩＯＮと、が交流電源に対して並列に接続される。前記空気流のうち前記マイナスイオン発生器より下流側にある導電性部品１２が、前記直流モータに対して導電材料１４、Ｒ２によって接続される。特に、前記導電性部品が、前記直流モータのマイナス側端子１５に対して接続されることが望ましい。【選択図】  図１
2004275639.tif 000002
【特許請求の範囲】
【請求項１】
空気流発生の駆動源となる直流モータに電力を供給する整流器と、
前記空気流にマイナスイオンを放出するマイナスイオン発生器と、
が交流電源に対して並列に接続され、
前記空気流のうち前記マイナスイオン発生器より下流側にある導電性部品が、前記直流モータに対して導電材料によって接続されている、ヘアドライヤー。
【請求項２】
請求項１において、前記導電性部品が、前記直流モータのマイナス側端子に対して接続されている、ヘアドライヤー。
【請求項３】
請求項１又は請求項２において、前記整流器の入力側端子に対して直列に抵抗素子が接続された、ヘアドライヤー。
【発明の詳細な説明】
【０００１】
【発明の属する技術分野】
本発明は、髪に温風をあてて乾かすためのヘアドライヤーに関し、特に、マイナスイオン発生器を備えたヘアドライヤーに関する。
【０００２】
【従来の技術】
髪を乾かすとともにマイナスイオンを発生して頭髪に好影響を与えるヘアドライヤーが知られている。かかるヘアドライヤーにおいて、高温又は高電圧の電気部品に使用者が誤って触れることのないよう、かかる電気部品から隔離絶縁された金網などの部品で吹出口を塞ぐことが行われている。
【０００３】
【発明が解決しようとする課題】
しかし、上記吹出口に設けられた部品は、マイナスイオンを含む空気流に晒されるため、使用中にマイナスの電荷をもつ場合がある。吹出口に設けられた部品にマイナスの電荷が溜まることにより、空気流に含まれるマイナスイオンが反発を受け、放出されるイオン量が減少する。そのため、ヘアドライヤーを連続使用するうちに、髪に到達するイオン量が変動してしまう。また、もし、このような電荷をもった部品に触れると、場合によっては軽度の感電を起こすおそれもある。
【０００４】
本発明は、安定して多くのマイナスイオンを放出できるようにするとともに、併せて感電を起こすおそれのないヘアドライヤーを提供することを目的とする。
【０００５】
【課題を解決するための手段】上記目的を達成するため、本発明のヘアドライヤーは、空気流発生の駆動源となる直流モータに電力を供給する整流器と、前記空気流にマイナスイオンを放出するマイナスイオン発生器と、が交流電源に対して並列に接続され、前記空気流のうち前記マイナスイオン発生器より下流側にある導電性部品が、前記直流モータに対して導電材料によって接続されている。
【０００６】
上記ヘアドライヤーにおいて、前記導電性部品が、前記直流モータのマイナス側端子に対して接続されていることが望ましい。
【０００７】
上記ヘアドライヤーにおいて、前記整流器の入力側端子に対して直列に抵抗素子が接続されていることが望ましい。
【０００８】
【発明の実施の形態】
次に、図面を参照しながら本発明の実施の形態を説明する。
【０００９】
＜内部構造＞
図１は、本発明の実施形態によるヘアドライヤーの内部構造を示す一部透視図である。図に示すように、ヘアドライヤー１は、直流モータＭと、直流モータＭの回転軸に固定されたファン１１と、電熱線からなるヒータＨＲと、マイナスイオンを発生するマイナスイオン発生器ＩＯＮと、吹出口をふさぐ網状の導電性部品であるグリル１２と、を備えており、これらが樹脂製の円筒状筐体１０内に配置されている。
【００１０】
直流モータＭはファン１１を一定方向に回転させる。これによりファン１１は吹出口に向かって空気流を発生させる。ヒータＨＲは通電時に熱を発生し、その熱により空気流を加熱する。
【００１１】
イオン発生器ＩＯＮからはイオン電極１３が延びており、イオン電極１３の先端からマイナスイオンが放出される。グリル１２は導電材料によって直流モータＭに接続されている。特にグリル１２はリード線１４及び抵抗器Ｒ２を介して、直流モータＭのマイナス側端子１５に接続されている。抵抗器Ｒ２等には、ショート防止のため絶縁性のスリーブを被せている。
【００１２】
筐体１０からは、家庭用交流電源に接続するための電気コード１６が引き出されている。また、筐体１０の側面には、ドライヤー内の素子全体への電力供給をＯＮ／ＯＦＦできるメインスイッチＳＷ１、直流モータＭ及びヒータＨＲの出力を増減するためのセレクションスイッチＳＷ２、イオン発生器ＩＯＮをＯＮ／ＯＦＦするためのイオンスイッチＳＷ３が設けられている。吹出口には、図示しないアタッチメントを取り付けて使用する。
【００１３】
＜回路の構成及び動作＞
図２は、上記ヘアドライヤーの電気回路図である。図１と図２の共通する素子には共通の符号を用いている。ＡＣ１００Ｖ等の交流電源が接続される両端子間に、バッファ用のフィルムコンデンサＣが接続されたのち、一方の端子には電源ＯＮ／ＯＦＦ用のメインスイッチＳＷ１が、他方の端子には配線ショート時などにおける電源遮断用の温度ヒューズＦＵＳＥが接続されている。そして、イオン発生器ＩＯＮ、後述の直流モータ用整流器Ｄ１、およびヒータＨＲが、上記メインスイッチＳＷ１及び温度ヒューズＦＵＳＥを介して交流電源に並列に接続されている。
【００１４】
メインスイッチＳＷ１は、交流電源側端子からイオン発生器ＩＯＮ及び直流モータ用整流器Ｄ１に接続される端子（以下「ＩＯＮ−Ｄ１端子」という）と、ヒータＨＲに接続される端子（以下「ＨＲ端子」という）とに分岐する３端子構成となっている。このメインスイッチＳＷ１は、イオン発生器ＩＯＮ及び整流器Ｄ１に対して交流電源を接続／遮断できるとともに、これらイオン発生器ＩＯＮ及び整流器Ｄ１に対して交流電源を接続した状態でのみ、交流電源をヒータＨＲに対して接続／遮断できるようになっている。つまり、このメインスイッチＳＷ１は、交流電源をイオン発生器ＩＯＮ、直流モータ用整流器Ｄ１、およびヒータＨＲに接続した状態（温風）／イオン発生器ＩＯＮと直流モータ用整流器Ｄ１にのみ接続した状態（冷風）／全体を遮断した状態（ＯＦＦ）の３段階にスイッチングするＨＯＴ／ＣＯＯＬ／ＯＦＦスイッチとして機能する。
【００１５】
メインスイッチＳＷ１のＩＯＮ−Ｄ１端子に接続された配線は、更にイオン発生器ＩＯＮ側と、整流器Ｄ１側とに分岐される。このうちイオン発生器ＩＯＮ側に分岐した配線には、イオン発生器ＩＯＮが接続されるとともにイオンスイッチＳＷ３が設けられ、イオン発生器のみを電源から遮断できるようになっている。また、イオンスイッチＳＷ３と直列に、かつイオン発生器ＩＯＮと並列に、発光ダイオードＬＥＤが接続されている。これにより、イオン発生器ＩＯＮに通電されている時、すなわちメインスイッチＳＷ１及びイオンスイッチＳＷ３を導通状態にした時には、発光ダイオードＬＥＤが発光し、イオン発生中であることを表示することができる。なお、発光ダイオードＬＥＤに直列に、電圧降下及び整流のための抵抗素子Ｒ１及びダイオードＤ３が接続されている。
【００１６】
メインスイッチＳＷ１のＩＯＮ−Ｄ１端子からイオン発生器側への配線と分かれて直流モータ用整流器Ｄ１側に分岐した配線は、電圧降下用の抵抗素子ＭＲを介して、整流器Ｄ１の入力端子（交流端子）の一方に接続される。整流器Ｄ１は、良好な整流を得るためにブリッジ回路となっており、その出力端子間に直流モータＭが接続される。直流モータＭの端子（整流器Ｄ１の出力端子）には、抵抗器Ｒ２を含む導電材料を介して、図１の吹出口に設けられたグリル１２が接続される。特に、本実施形態のヘアドライヤーでは、直流モータのマイナス側端子に、グリル１２が接続される。
【００１７】
メインスイッチＳＷ１のＨＲ端子によってヒータＨＲ側に分岐した配線は、そのままヒータＨＲの一方の端子に接続される。ヒータＨＲに直列にサーモスタットＴＨが接続されており、ヒータが一定温度を超えている期間中はヒータＨＲへの電力供給が遮断される。
【００１８】
直流モータ用整流器Ｄ１の他方の入力端子（交流端子）と、ヒータＨＲの他方の端子とは共通にされ、その合流点より電源側に、セレクションスイッチＳＷ２が接続されている。セレクションスイッチＳＷ２には、ダイオードＤ２が並列に接続されている。従って、セレクションスイッチＳＷ２が導通状態にあるときは直流モータ用整流器Ｄ１及びヒータＨＲに大きな電流が供給される。これに対し、セレクションスイッチＳＷ２が遮断状態にあるときは、直流モータ用整流器Ｄ１及びヒータＨＲに対してはダイオードＤ２のみを介しての電力供給となるので、直流モータ用整流器Ｄ１及びヒータＨＲに供給される電流が小さくなる。従って、セレクションスイッチＳＷ２の開閉により直流モータ用整流器Ｄ１及びヒータＨＲの出力を増減することができる。
【００１９】
セレクションスイッチＳＷ２の交流電源側端子と、イオン発生器ＩＯＮの他方の端子（メインスイッチＳＷ１と反対側）とは共通にされ、更に交流電源側の温度ヒューズＦＵＳＥに接続される。
【００２０】
＜本実施形態の利点及び変形例＞
本実施形態によれば、グリル１２を導電性部品（好ましくは金属）とし、このグリル１２を直流モータＭに接続したことにより、グリル１２に蓄積する電荷をモータ側に逃がし、グリル１２の電位を一定にすることができる。なお、グリル１２をモータ以外の配線部分に接続することも考え得るが、他の配線部分には交流電圧がかかっているので好ましくない。グリル１２をアースできれば良いが、手持ち型のヘアドライヤーではアース線を設けることが困難である。これに対し、直流モータＭの端子は、交流電源から整流器Ｄ１（本実施形態では更に抵抗素子ＭＲ）を経ているため、電位の絶対値が低く安定している。例えば抵抗素子ＭＲを１００〜２００Ωとした場合、直流モータの端子電圧をＤＣ２０〜３５Ｖ程度とすることができる。かかるモータ端子の電位は、多量の電荷が蓄積したグリル１２の電位に比べれば実質上無視できる。よって、グリル１２を直流モータＭの端子に接続することで、グリル１２をアースしているのと実質上同等の効果を得ることも可能である。
【００２１】
グリル１２は、直流モータＭの２つの端子（プラス側及びマイナス側）のうち何れに接続しても良いが、プラス側の端子に接続した場合はグリル１２の電位が正側にシフトし、逆にマイナスイオンをグリル１２に引き付けてしまうことも考えられる。よってどちらかと言えばマイナス側の端子に、グリル１２を接続することが望ましい。
【００２２】
グリル１２と直流モータＭの端子との間には、抵抗器Ｒ２を介在させることが望ましい。これにより、一方から他方への急激な電流漏れを回避しつつ、グリル１２に溜まった電荷を逃がすことができる。この抵抗器Ｒ２は、０．１〜１０ＭΩ（メガオーム）程度の高い抵抗値とすることが望ましい。
【００２３】
【発明の効果】
本発明によれば、安定して多くのマイナスイオンを放出できるようにするとともに、併せて感電を起こすおそれのないヘアドライヤーを提供することができる。
【図面の簡単な説明】
【図１】本発明の実施形態によるヘアドライヤーの内部構造を示す一部透視図である。
【図２】上記ヘアドライヤーの電気回路図である。
【符号の説明】
Ｍ…直流モータ、Ｄ１…直流モータ用整流器、ＩＯＮ…マイナスイオン発生器、１２…グリル（導電性部品）、１４…リード線（導電材料）、Ｒ２…抵抗器（導電材料）、１５…マイナス側端子、ＭＲ…抵抗素子、１１…ファン、ＨＲ…ヒータ
【図１】
2004275639.tif 000003
【図２】
2004275639.tif 000004